【手続補正書】
【提出日】平成19年6月12日(2007.6.12)
【手続補正１】
【補正対象書類名】特許請求の範囲
【補正対象項目名】全文
【補正方法】変更
【補正の内容】
【特許請求の範囲】
【請求項１】
グループを形成する複数のＩＰ電話機と、前記ＩＰ電話機間の呼接続制御を行うサーバ装置と、からなり、前記ＩＰ電話機から通話呼のパーク保留またはパーク保留解除を実行するＩＰ電話システムであって、
前記サーバ装置は、前記ＩＰ電話機によってパーク保留された通話呼をパーク保留リスト情報に登録し、前記ＩＰ電話機によってパーク保留解除された通話呼をパーク保留リスト情報から削除し、前記パーク保留リスト情報に基づいてパーク保留またはパーク保留解除を制御し、
前記グループを形成する複数のＩＰ電話機は、前記サーバ装置から供給されるパーク保留リスト情報に基づいてパーク保留またはパーク保留解除の表示を制御することを特徴とするＩＰ電話システム。
【請求項２】
前記サーバ装置は、任意の前記ＩＰ電話機からパーク保留情報またはパーク保留解除情報を受信する毎に、パーク保留リスト情報の全リスト情報をグループの全てのＩＰ電話機に送信することを特徴とする請求項１記載のＩＰ電話システム。
【請求項３】
前記サーバ装置は、一定時間間隔でパーク保留リスト情報の全リスト情報をグループの全てのＩＰ電話機に送信することを特徴とする請求項１記載のＩＰ電話システム。
【請求項４】
前記ＩＰ電話機は、パーク保留リスト情報に基づいて複数のパーク保留表示器の点灯または消灯を制御することを特徴とする請求項１記載のＩＰ電話システム。
【請求項５】
前記グループを形成する複数のＩＰ電話機は、それぞれ複数のパーク保留ボタンと対応するパーク保留表示器を備え、パーク保留の前記パーク保留ボタンおよび前記パーク保留表示器の位置関係がグループを形成する全てのＩＰ電話機で一致することを特徴とする請求項１記載のＩＰ電話システム。
【請求項６】
グループを形成する複数のＩＰ電話機のパーク保留またはパーク保留解除を制御するサーバ装置であって、
前記ＩＰ電話機から通話呼のパーク保留を示す情報が付加された通信プロトコルに規定されたメッセージを受信したとき、パーク保留された通話呼をパーク保留リスト情報に登録する登録手段と、通話先のＩＰ電話機に被保留情報を送信するとともに、前記グループを形成する複数のＩＰ電話機に通話呼を登録したパーク保留リスト情報を送信する送信手段と、を備えたことを特徴とするサーバ装置。
【請求項７】
前記ＩＰ電話機から通話呼のパーク保留解除を示す情報が付加された通信プロトコルに規定されたメッセージを受信したとき、パーク保留リスト情報からパーク保留解除となる通話呼を削除する削除手段を備え、前記送信手段は、被保留中のＩＰ電話機に被保留解除情報を送信するとともに、前記グループを形成する複数のＩＰ電話機に通話呼を削除したパーク保留リスト情報を送信することを特徴とする請求項６記載のサーバ装置。
【請求項８】
前記ＩＰ電話機から通信プロトコルに規定されたメッセージに通話呼のパーク保留を示す情報を受信してから所定時間の経過を計時するタイマ手段を備え、前記タイマ手段が所定時間を計時してもパーク保留解除を示す情報が受信されない場合、前記削除手段は、パーク保留リスト情報からパーク保留解除となる通話呼を削除し、前記送信手段は、通話呼を削除したパーク保留リスト情報を前記グループを形成する複数のＩＰ電話機に送信することを特徴とする請求項７記載のサーバ装置。
【請求項９】
サーバ装置から供給されるパーク保留リスト情報に基づいてパーク保留またはパーク保留解除の表示を行うグループを形成する複数のＩＰ電話機であって、
通話呼のパーク保留またはパーク保留解除を示す情報を付加した通信プロトコルに規定されたメッセージを前記サーバ装置に送信する送信手段と、前記サーバ装置から通話呼が登録または削除されたパーク保留リスト情報を受信する受信手段と、前記受信したパーク保留リスト情報に基づいて各々の通話呼に対応させてパーク保留の表示またはパーク保留の表示の消去を行うパーク保留表示手段と、を備えたことを特徴とするＩＰ電話機。
【請求項１０】
通話中のＩＰ電話機が通話呼のパーク保留を示す情報を付加した通信プロトコルに規定されたメッセージをサーバ装置に送信し、
パーク保留を示す情報を受信したとき、前記サーバ装置が、通話先のＩＰ電話機に被保留情報を送信し、パーク保留された通話呼をパーク保留リスト情報に登録し、パーク保留リスト情報をグループを形成する複数のＩＰ電話機に送信することを特徴とするパーク保留方法。
【請求項１１】
ＩＰ電話機が通話呼のパーク保留解除を示す情報を付加した通信プロトコルに規定されたメッセージをサーバ装置に送信し、
パーク保留解除を示す情報を受信したとき、前記サーバ装置が、被保留中の通話先のＩＰ電話機に被保留解除情報を送信し、パーク保留リスト情報からパーク保留解除となる通話呼を削除し、パーク保留リスト情報をグループを形成する複数のＩＰ電話機に送信することを特徴とするパーク保留方法。
【請求項１２】
サーバ装置が通話中のＩＰ電話機からパーク保留を示す情報が付加された通信プロトコルに規定されたメッセージを受信してから所定時間経過してもパーク保留が解除されなかった場合に、前記サーバ装置が、被保留中の通話先ＩＰ電話機に被保留解除情報を送信し、パーク保留リスト情報からパーク保留解除となる通話呼を削除し、パーク保留リスト情報をグループを形成する複数のＩＰ電話機に送信することを特徴とするパーク保留方法。
【請求項１３】
前記サーバ装置からパーク保留リスト情報を受信した前記ＩＰ電話機は、前記受信したパーク保留リスト情報に基づき、各々の通話呼に対応させてパーク保留の表示またはパーク保留の表示の消去を行うことを特徴とする請求項１０から請求項１２のいずれかに記載のパーク保留方法。
【請求項１４】
前記ＩＰ電話機と前記サーバ装置との間で送受信される情報は、全てＳＩＰプロトコルに規定されたメッセージに設定されて送受信されることを特徴とする請求項１０から請求項１３のいずれかに記載のパーク保留方法。
【請求項１５】
グループを形成する複数のＩＰ電話機と、前記ＩＰ電話機間の呼接続制御を行うサーバ装置と、からなるＩＰ電話システムのパーク保留方法であって、
前記ＩＰ電話機が通話呼のパーク保留を示す情報を付加したＳＩＰメッセージを前記サーバ装置に送信したとき、
前記サーバ装置が、通話呼のＩＰ電話機に被保留情報を送信し、パーク保留された通話呼をパーク保留リスト情報に登録し、パーク保留リスト情報をグループを形成する複数のＩＰ電話機に送信し、
前記ＩＰ電話機が通話呼のパーク保留解除を示す情報を付加したＳＩＰメッセージを前記サーバ装置に送信したとき、あるいは所定時間パーク保留が解除されないとき、
前記サーバ装置が、通話呼のＩＰ電話機に被保留解除情報を送信し、パーク保留の該当する通話呼をパーク保留リスト情報から削除し、パーク保留リスト情報をグループを形成する複数のＩＰ電話機に送信し、
前記パーク保留リスト情報を受信したＩＰ電話機が前記パーク保留リスト情報に基づいて各々の通話呼に対応させてパーク保留の表示またはパーク保留の表示の消去を行うことを特徴とするパーク保留方法。
【手続補正２】
【補正対象書類名】明細書
【補正対象項目名】０００５
【補正方法】変更
【補正の内容】
【０００５】
前記課題を解決するためこの発明に係るＩＰ電話システムは、グループを形成する複数のＩＰ電話機と、ＩＰ電話機間の呼接続制御を行うサーバ装置と、からなり、ＩＰ電話機から通話呼のパーク保留またはパーク保留解除を実行するＩＰ電話システムであって、サーバ装置は、ＩＰ電話機によってパーク保留された通話呼をパーク保留リスト情報に登録し、ＩＰ電話機によってパーク保留解除された通話呼をパーク保留リスト情報から削除し、前記パーク保留リスト情報に基づいてパーク保留またはパーク保留解除を制御し、グループを形成する複数のＩＰ電話機は、サーバ装置から供給されるパーク保留リスト情報に基づいてパーク保留またはパーク保留解除の表示を制御するものである。
【手続補正３】
【補正対象書類名】明細書
【補正対象項目名】０００７
【補正方法】変更
【補正の内容】
【０００７】
本発明に係るＩＰ電話システムは、グループを形成する複数のＩＰ電話機と、ＩＰ電話機間の呼接続制御を行うサーバ装置と、からなり、ＩＰ電話機から通話呼のパーク保留またはパーク保留解除を実行するＩＰ電話システムであって、サーバ装置は、ＩＰ電話機によってパーク保留された通話呼をパーク保留リスト情報に登録し、ＩＰ電話機によってパーク保留解除された通話呼をパーク保留リスト情報から削除し、前記パーク保留リスト情報に基づいてパーク保留またはパーク保留解除を制御し、グループを形成する複数のＩＰ電話機は、サーバ装置から供給されるパーク保留リスト情報に基づいてパーク保留またはパーク保留解除の表示を制御することを特徴とする。
【手続補正４】
【補正対象書類名】明細書
【補正対象項目名】０００８
【補正方法】変更
【補正の内容】
【０００８】
これにより、ＩＰ電話機からパーク保留またはパーク保留解除のイベントが発生する毎に、サーバ装置から更新したパーク保留リスト情報を送信し、ＩＰ電話機のパーク保留状態の表示を常に適切に保つことができる。
【手続補正５】
【補正対象書類名】明細書
【補正対象項目名】０００９
【補正方法】変更
【補正の内容】
【０００９】
また、本発明は、請求項１に係るＩＰ電話システムにおいて、前記サーバ装置は、任意のＩＰ電話機からパーク保留情報またはパーク保留解除情報を受信する毎に、パーク保留リスト情報の全リスト情報をグループの全てのＩＰ電話機に送信することを特徴とする。
【手続補正６】
【補正対象書類名】明細書
【補正対象項目名】００１０
【補正方法】変更
【補正の内容】
【００１０】
これにより、ＩＰ電話機のパーク保留またはパーク保留解除のイベントが発生する毎に、グループ内全てのＩＰ電話機のパーク保留表示を最新の状態に更新することができる。
【手続補正７】
【補正対象書類名】明細書
【補正対象項目名】００１１
【補正方法】変更
【補正の内容】
【００１１】
また、本発明は、請求項１に係るＩＰ電話システムにおいて、前記サーバ装置は、一定時間間隔でパーク保留リスト情報の全リスト情報をグループの全てのＩＰ電話機に送信することを特徴とする。
【手続補正８】
【補正対象書類名】明細書
【補正対象項目名】００１２
【補正方法】変更
【補正の内容】
【００１２】
これにより、ＩＰ電話機のパーク保留またはパーク保留解除のイベント発生の有無に拘わらず、グループ内全てのＩＰ電話機のパーク保留表示を最新の状態に更新することができる。
【手続補正９】
【補正対象書類名】明細書
【補正対象項目名】００１３
【補正方法】変更
【補正の内容】
【００１３】
また、本発明は、請求項１に係るＩＰ電話システムにおいて、前記ＩＰ電話機は、パーク保留リスト情報に基づいて複数のパーク保留表示器の点灯または消灯を制御することを特徴とする。
【手続補正１０】
【補正対象書類名】明細書
【補正対象項目名】００１４
【補正方法】変更
【補正の内容】
【００１４】
これにより、グループ内全てのＩＰ電話機のパーク保留表示器に共通したパーク保留表示を行うことができる。
【手続補正１１】
【補正対象書類名】明細書
【補正対象項目名】００１５
【補正方法】変更
【補正の内容】
【００１５】
また、本発明は、請求項１に係るＩＰ電話システムにおいて、前記グループを形成する複数のＩＰ電話機は、それぞれ複数のパーク保留ボタンと対応するパーク保留表示器を備え、パーク保留の前記パーク保留ボタンおよびパーク保留表示器の位置関係がグループを形成する全てのＩＰ電話機で一致することを特徴とする。
【手続補正１２】
【補正対象書類名】明細書
【補正対象項目名】００１６
【補正方法】変更
【補正の内容】
【００１６】
これにより、グループの全てのＩＰ電話機の利用者は、パーク保留表示器の点灯数からパーク保留の稼動状況を認識することができる。
【手続補正１３】
【補正対象書類名】明細書
【補正対象項目名】００１７
【補正方法】変更
【補正の内容】
【００１７】
また、この発明に係るサーバ装置は、グループを形成する複数のＩＰ電話機のパーク保留またはパーク保留解除を制御するサーバ装置であって、ＩＰ電話機から通話呼のパーク保留を示す情報が付加された通信プロトコルに規定されたメッセージを受信したとき、パーク保留された通話呼をパーク保留リスト情報に登録する登録手段と、通話先のＩＰ電話機に被保留情報を送信するとともに、前記グループを形成する複数のＩＰ電話機に通話呼を登録したパーク保留リスト情報を送信する送信手段と、を備えたことを特徴とする。
【手続補正１４】
【補正対象書類名】明細書
【補正対象項目名】００１８
【補正方法】変更
【補正の内容】
【００１８】
これにより、通話呼のパーク保留を示す情報に基づいて通話呼の通話先ＩＰ電話機（発信元ＩＰ電話機）に被保留情報を送信して保留状態にし、パーク保留された通話呼を登録したパーク保留リスト情報の全リスト情報をグループ全体のＩＰ電話機に送信してパーク保留表示させる制御を実行することができる。
【手続補正１５】
【補正対象書類名】明細書
【補正対象項目名】００１９
【補正方法】変更
【補正の内容】
【００１９】
また、本発明は、請求項６に係るサーバ装置において、ＩＰ電話機から通話呼のパーク保留解除を示す情報が付加された通信プロトコルに規定されたメッセージを受信したとき、パーク保留リスト情報からパーク保留解除となる通話呼を削除する削除手段を備え、前記送信手段は、被保留中のＩＰ電話機に被保留解除情報を送信するとともに、前記グループを形成する複数のＩＰ電話機に通話呼を削除したパーク保留リスト情報を送信することを特徴とする。
【手続補正１６】
【補正対象書類名】明細書
【補正対象項目名】００２０
【補正方法】変更
【補正の内容】
【００２０】
これにより、通話呼のパーク保留解除を示す情報に基づいて通話呼の通話先ＩＰ電話機（発信元ＩＰ電話機）に被保留解除情報を送信して保留解除し、パーク保留解除された通話呼を削除したパーク保留リスト情報の全リスト情報をグループ全体のＩＰ電話機に送信してパーク保留表示を消去させる制御を実行することができる。
【手続補正１７】
【補正対象書類名】明細書
【補正対象項目名】００２１
【補正方法】変更
【補正の内容】
【００２１】
また、本発明は、請求項７に係るサーバ装置において、ＩＰ電話機から通信プロトコルに規定されたメッセージに通話呼のパーク保留を示す情報を受信してから所定時間の経過を計時するタイマ手段を備え、タイマ手段が所定時間を計時してもパーク保留解除を示す情報が受信されない場合、前記削除手段は、パーク保留リスト情報からパーク保留解除となる通話呼を削除し、前記送信手段は、通話呼を削除したパーク保留リスト情報を前記グループを形成する複数のＩＰ電話機に送信することを特徴とする。
【手続補正１８】
【補正対象書類名】明細書
【補正対象項目名】００２２
【補正方法】変更
【補正の内容】
【００２２】
これにより、通話呼のパーク保留を示す情報に基づいて通話呼の通話先ＩＰ電話機（発信元ＩＰ電話機）に被保留情報を送信して保留状態にし、パーク保留された通話呼を登録したパーク保留リスト情報の全リスト情報をグループ全体のＩＰ電話機に送信してパーク保留表示させてから所定時間が経過しても、通話呼のパーク保留解除を示す情報が受信できない場合には、パーク保留された通話呼を削除したパーク保留リスト情報をグループの全ＩＰ電話機に送信してパーク保留表示を消去させる制御を実行することができる。
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】変更
【補正の内容】
【００２５】
また、この発明に係るＩＰ電話機は、サーバ装置から供給されるパーク保留リスト情報に基づいてパーク保留またはパーク保留解除の表示を行うグループを形成する複数のＩＰ電話機であって、通話呼のパーク保留またはパーク保留解除を示す情報を付加した通信プロトコルに規定されたメッセージを前記サーバ装置に送信する送信手段と、前記サーバ装置から通話呼が登録または削除されたパーク保留リスト情報を受信する受信手段と、前記受信したパーク保留リスト情報に基づいて各々の通話呼に対応させてパーク保留の表示またはパーク保留の表示の消去を行うパーク保留表示手段と、を備えたことを特徴とする。
【手続補正２２】
【補正対象書類名】明細書
【補正対象項目名】００２６
【補正方法】変更
【補正の内容】
【００２６】
これにより、通話呼のパーク保留またはパーク保留解除を示す情報の２つのイベントを発生してサーバ装置に送信し、このイベントに伴いサーバ装置からのパーク保留リスト情報を受信してパーク保留表示することができる。
【手続補正２３】
【補正対象書類名】明細書
【補正対象項目名】００２７
【補正方法】変更
【補正の内容】
【００２７】
また、この発明に係るパーク保留方法は、通話中のＩＰ電話機が通話呼のパーク保留を示す情報を付加した通信プロトコルに規定されたメッセージをサーバ装置に送信し、パーク保留を示す情報を受信したとき、前記サーバ装置が、通話先のＩＰ電話機に被保留情報を送信し、パーク保留された通話呼をパーク保留リスト情報に登録し、パーク保留リスト情報をグループを形成する複数のＩＰ電話機に送信することを特徴とする。
【手続補正２４】
【補正対象書類名】明細書
【補正対象項目名】００２８
【補正方法】変更
【補正の内容】
【００２８】
これにより、通話呼のパーク保留を示す情報のイベントがあると、パーク保留リスト情報を更新し、このパーク保留リスト情報に基づいてパーク保留表示を更新することができる。
【手続補正２５】
【補正対象書類名】明細書
【補正対象項目名】００２９
【補正方法】変更
【補正の内容】
【００２９】
また、この発明に係るパーク保留方法は、ＩＰ電話機が通話呼のパーク保留解除を示す情報を付加した通信プロトコルに規定されたメッセージをサーバ装置に送信し、パーク保留解除を示す情報を受信したとき、前記サーバ装置が、被保留中の通話先のＩＰ電話機に被保留解除情報を送信し、パーク保留リスト情報からパーク保留解除となる通話呼を削除し、パーク保留リスト情報をグループを形成する複数のＩＰ電話機に送信することを特徴とする。
【手続補正２６】
【補正対象書類名】明細書
【補正対象項目名】００３０
【補正方法】変更
【補正の内容】
【００３０】
これにより、通話呼のパーク保留解除を示す情報があると、パーク保留リスト情報を更新し、このパーク保留リスト情報に基づいてパーク保留表示を更新することができる。
【手続補正２７】
【補正対象書類名】明細書
【補正対象項目名】００３１
【補正方法】変更
【補正の内容】
【００３１】
また、この発明に係るパーク保留方法は、サーバ装置が通話中のＩＰ電話機からパーク保留を示す情報が付加された通信プロトコルに規定されたメッセージを受信してから所定時間経過してもパーク保留が解除されなかった場合に、前記サーバ装置が、被保留中の通話先ＩＰ電話機に被保留解除情報を送信し、パーク保留リスト情報からパーク保留解除となる通話呼を削除し、パーク保留リスト情報をグループを形成する複数のＩＰ電話機に送信することを特徴とする。
【手続補正２８】
【補正対象書類名】明細書
【補正対象項目名】００３２
【補正方法】変更
【補正の内容】
【００３２】
これにより、パーク保留を示す情報を受信してから所定時間経過してもパーク保留が解除されないと、該当する通話呼をパーク保留リスト情報から削除し、パーク保留リスト情報を更新することができる。
【手続補正２９】
【補正対象書類名】明細書
【補正対象項目名】００３３
【補正方法】変更
【補正の内容】
【００３３】
また、本発明は、請求項１０から請求項１２のいずれかに記載のパーク保留方法において、サーバ装置からパーク保留リスト情報を受信したＩＰ電話機は、前記受信したパーク保留リスト情報に基づき、各々の通話呼に対応させてパーク保留の表示またはパーク保留の表示の消去を行うことを特徴とする。
【手続補正３０】
【補正対象書類名】明細書
【補正対象項目名】００３４
【補正方法】変更
【補正の内容】
【００３４】
これにより、単純な方法でパーク保留を通知することができる。
【手続補正３１】
【補正対象書類名】明細書
【補正対象項目名】００３５
【補正方法】変更
【補正の内容】
【００３５】
また、本発明は、請求項１０から請求項１３のいずれかに記載のパーク保留方法において、ＩＰ電話機と前記サーバ装置との間で送受信される情報は、全てＳＩＰプロトコルに規定されたメッセージに設定されて送受信されることを特徴とする。
【手続補正３２】
【補正対象書類名】明細書
【補正対象項目名】００３６
【補正方法】変更
【補正の内容】
【００３６】
これにより、ＳＩＰプロトコルを利用してパーク保留を単純に実現することができる。
【手続補正３３】
【補正対象書類名】明細書
【補正対象項目名】００３７
【補正方法】変更
【補正の内容】
【００３７】
また、この発明に係るパーク保留方法は、グループを形成する複数のＩＰ電話機と、前記ＩＰ電話機間の呼接続制御を行うサーバ装置と、からなるＩＰ電話システムのパーク保留方法であって、ＩＰ電話機が通話呼のパーク保留を示す情報を付加したＳＩＰメッセージを前記サーバ装置に送信したとき、サーバ装置が、通話呼のＩＰ電話機に被保留情報を送信し、パーク保留された通話呼をパーク保留リスト情報に登録し、パーク保留リスト情報をグループを形成する複数のＩＰ電話機に送信し、ＩＰ電話機が通話呼のパーク保留解除を示す情報を付加したＳＩＰメッセージをサーバ装置に送信したとき、あるいは所定時間パーク保留が解除されないとき、サーバ装置が、通話呼のＩＰ電話機に被保留解除情報を送信し、パーク保留の該当する通話呼をパーク保留リスト情報から削除し、パーク保留リスト情報をグループを形成する複数のＩＰ電話機に送信し、前記パーク保留リスト情報を受信したＩＰ電話機が前記パーク保留リスト情報に基づいて各々の通話呼に対応させてパーク保留の表示またはパーク保留の表示の消去を行うことを特徴とする。
【手続補正３４】
【補正対象書類名】明細書
【補正対象項目名】００３８
【補正方法】変更
【補正の内容】
【００３８】
これにより、サーバ装置から更新したパーク保留リスト情報をグループ内のＩＰ電話機に送信し、ＩＰ電話機のパーク保留状態の表示を常に適切に保つため、途中からグループに加わったＩＰ電話機も電源を投入してから速やかに正常なパーク保留状態を表示することができる。
【手続補正３５】
【補正対象書類名】明細書
【補正対象項目名】００４３
【補正方法】変更
【補正の内容】
【００４３】
サーバ装置２は、パーク保留された通話呼を登録またはパーク保留解除された通話呼を削除したパーク保留リスト情報ＪＬに基づいてパーク保留またはパーク保留解除を制御するパーク保留制御手段８を備える。